(57)【要約】【課題】棚材を支柱上の任意の位置に直接に着脱可能にする。【解決手段】内嵌部材外周の分割部分６、８に、該分割部分６、８を接合したとき上下方向にテーパ状をなし、このテーパ状部１０ａ、１０ｂに沿って第１のアリ溝１１が形成されたテーパ形成突起部１０をそれぞれ有し、外嵌部材１３の内周面の上下方向にテーパ状に形成されて、第１のアリ溝１１に嵌合可能な縁部を有するテーパ形成凹部を設ける。【選択図】図１
0003125860.tif 000002
【実用新案登録請求の範囲】
【請求項１】
棚材を支柱の任意高さ位置に着脱可能に固定して商品陳列棚を構成する棚材固定具であって、
支柱の外周に形成された環状溝に係合可能な環状突起を内周に有し、径方向に２分割されて一体に接合可能な一対の内嵌部材と、
該内嵌部材外周の分割部分にそれぞれ突設され、該分割部分を接合したとき上下方向にテーパ状をなし、このテーパ状部に沿って第１のアリ溝が形成されたテーパ形成突起部と、
径方向に２分割され、前記内嵌部材の周りにその分割部分で一体に接合されるとき、前記支柱が貫通する貫通孔が形成される一対の外嵌部材と、
該外嵌部材の内周面の上下方向にテーパ状に形成され、前記第１のアリ溝に嵌合可能な縁部を有するテーパ形成凹部と、
を備えることを特徴とする棚材固定具。
【請求項２】
前記外嵌部材は、前記内嵌部材の周辺部を被う筒状のスカート部と、前記貫通孔を除く部位で内嵌部材上端面を被う天部と、を有することを特徴とする請求項１に記載の棚材固定具。
【請求項３】
前記外嵌部材の外周には、棚材の一部または棚材の連結部材が一体に設けられていることを特徴とする請求項１に記載の棚材固定具。
【考案の詳細な説明】
【技術分野】
【０００１】
本考案は、棚材を支柱上の所定の高さ位置に固定する商品陳列棚等の棚位置固定具に関する。
【背景技術】
【０００２】
従来から商品陳列棚は、図７に示すように、長方形状で籠型の棚材３０の四隅部を支柱３１に固着し、これを複数段に形成した構造である。商品を陳列する際に商品の形状や大きさまたは陳列方法等により棚材３０の高さを適宜に変更する必要がある。そのために、従来から棚材固定具３２を用いて棚材３０を上下に移動し、任意の位置に固定することが行なわれていた（例えば、特許文献１参照）。
【０００３】
前記商品陳列棚では、図８に示すように、支柱３１における軸方向の複数箇所に環状溝３３を設けている。一方、棚材固定具３２は外周がテーパ状の内嵌部材３４を２つ割りに形成して、それぞれの内周に環状突起３５を設けた内嵌部材３４と、この内嵌部材３４を支柱３１に外嵌して環状突起３５を環状溝３３に係合して位置決めし、この内嵌部材３４の外周に嵌挿したテーパを持つ外嵌部材３６とからなる。
【０００４】
そして内嵌部材３４の環状突起３５を支柱３１の円周溝３３に装着し、内嵌部材の外周に外嵌部材３６を嵌合することにより、内嵌部材３４をテーパ部相互の食い込みによる締め付け効果にて一体化し、棚材３０の位置を固定することができる。
【特許文献１】特許第３６５７５７５号公報
【考案の開示】
【考案が解決しようとする課題】
【０００５】
しかしながら、前記従来の棚材固定具３２は外嵌部材３６が一体構造の筒状体であるため、棚材３０を支柱３１に固定するのに、外嵌部材３６を支柱３１の先端から挿嵌しなければならないことになる。特に、支柱３１の中間に棚材３０を装着するためには、装着位置より上方に装着された棚材３０を一旦外さなければならないという問題があった。
【０００６】
本考案は、前記従来の問題点に鑑みてなされたものであり、棚材を支柱上の任意の位置に着脱することができ、棚材の固定位置を任意に選択または変更可できる棚材固定具の提供を目的とする。
【課題を解決するための手段】
【０００７】
前記目的達成のために、本考案にかかる棚材固定具は、棚材を支柱の任意高さ位置に着脱可能に固定して商品陳列棚を構成する棚材固定具であって、支柱の外周に形成された環状溝に係合可能な環状突起を内周に有し、径方向に２分割されて一体に接合可能な一対の内嵌部材と、該内嵌部材外周の分割部分にそれぞれ突設され、該分割部分を接合したとき上下方向にテーパ状をなし、このテーパ状部に沿って第１のアリ溝が形成されたテーパ形成突起部と、径方向に２分割され、前記内嵌部材の周りにその分割部分で一体に接合されるとき、前記支柱が貫通する貫通孔が形成される一対の外嵌部材と、該外嵌部材の内周面の上下方向にテーパ状に形成され、前記第１のアリ溝に嵌合可能な縁部を有するテーパ形成凹部と、
を備えることを特徴とする。
【０００８】
この構成により、各一の内嵌部材を、環状突起をいずれかの環状溝に嵌合するように支柱の外周に沿わせ、この状態で内嵌部材の外周に設けられた第１のアリ溝に、外嵌部材に設けられたテーパ形成凹部の縁部に係合することで、外嵌部材およびこれに取り付けられるかご型の棚材を、内嵌部材を介して支柱上の任意の高さ位置に、簡単、迅速に固定することができる。
【０００９】
また、この考案にかかる棚材固定具は、前記外嵌部材が、前記内嵌部材の周辺部を被う筒状のスカート部と、前記貫通孔を除く部位で内嵌部材上端面を被う天部と、を有することを特徴とする。
【００１０】
この構成により、外嵌部材が内嵌部材に対し、必要以上に下方へ降下することを防止でき、また前記内嵌部材側の第１のアリ溝と外嵌部材のテーパ形成凹部の縁部との係合、前記外嵌部材の第２のアリ溝と内嵌部材側のテーパ形成突起の縁部との係合により、これら相互間の自由な分離を回避でき、さらに内嵌部材の上端面を天部が塞いで、外観を良好にすることができる。
【００１１】
また、この考案にかかる棚材固定具は、前記外嵌部材の外周に、棚材の一部または棚材の連結部材が一体に設けられていることを特徴とする。
【００１２】
この構成により、外嵌部材の取り付けと同時に棚板を支柱に簡単に組み付けたり、外嵌部材の取り付け後にこれに対し任意に棚材を連結したりすることができる。
【考案の効果】
【００１３】
本考案によれば、内嵌部材外周の分割部分に、該分割部分を接合したとき上下方向にテーパ状をなし、このテーパ状部に沿って第１のアリ溝が形成されたテーパ形成突起部をそれぞれ設け、外嵌部材の内周面の上下方向に、前記第１のアリ溝に嵌合可能な縁部を有するテーパ形成凹部を形成したことにより、外嵌部材およびこれに取り付けられるかご型の棚材を、内嵌部材を介して支柱上の任意の高さ位置に、簡単、迅速に固定することができるという効果が得られる。
【考案を実施するための最良の形態】
【００１４】
以下、本考案の実施形態を、図を参照しながら説明する。
【００１５】
図１乃至図６は、本考案の実施形態を示すものであり、図１は、本考案の棚材固定具における内嵌部材の分解斜視図、図２は、同じく外嵌部材の分解斜視図、図３は、支柱、内嵌部材および外嵌部材相互の関係を示す斜視図、図４は、支柱、内嵌部材および外嵌部材相互の組み立て構造を示す平面図、図５は、図４におけるＡ−Ａ線断面図、図６は、図４におけるＢ‐Ｂ線断面図である。
【００１６】
本考案の実施形態による棚材固定具は、例えば棚材を取り付けた外嵌部材を、支柱に支持させた内嵌部材に対し外嵌し、外嵌部材を支柱のいずれかの高さ位置に着脱可能に固定し得るものである。
【００１７】
内嵌部材１は、硬質プラスチック等からなり、径方向に２分割（つまり、半分に等分割）された２個の内嵌部材構成部１ａ、１ｂを組み付け可能にしたものである。この内嵌部材１は、内嵌部材構成部１ａ、１ｂが一体に組みつけられた状態では円筒状をなし、その内周面２の中央部付近には、環状突起３が一体に形成されている。
【００１８】
この環状突起３は、図５および図６に示すように、支柱４の外周に設けた複数本の環状溝５のいずれかに係合可能な形状、サイズをなす。
【００１９】
また、内嵌部材構成部１ａ、１ｂは対称形状をなし、一方の分割部分（接合端部）６の中央部には、円周方向に所定長に亘って凹部７が形成され、他方の分割部８の中央部には、円周方向に前記凹部７の形状、長さに等しい凸部９が形成されている。
【００２０】
従って、対称形状の両内嵌部材構成部１ａ、１ｂを重ね合わせた場合には、それぞれの凹部７および凸部９が相互に嵌まり合って密接することとなる。
【００２１】
また、各内嵌部材１の各分割部分６、８には、これらの分割部分６、８の接合状態において、上下方向に、ここでは下方向に幅が広がるテーパ状部（傾斜部）１０ａ、１０ｂを形成するように、テーパ形成突起部１０が突設され、これらのは、テーパ状部１０ａ、１０ｂに沿って、それぞれ第１のアリ溝１１が形成されている。
【００２２】
内嵌部材構成部１ａ、１ｂの外周には、略等間隔に複数本の突条１２が形成されている。これらの突条１２は内嵌部材構成部１ａ、１ｂとともに、これらの外周を後述のように被う外嵌部材の強度を補助するように機能する。
【００２３】
外嵌め部材１３は、例えばダイキャストにより成形され、半分に等分割された２個の外嵌部材構成部１３ａ、１３ｂを接合可能としたものである。この外嵌部材１３は平面視では、例えば八角形状をなし、スカート部１４および天部１５を持つ。天部１５の中心部には、前記支柱４を貫通させるための貫通孔１６が形成されている。
【００２４】
また、これらの外嵌部材構成部１３ａ、１３ｂの内面には、内嵌部材構成部１ａ、１ｂを接合した状態におけるテーパ形成突起部１０および突条１２に嵌合可能なテーパ形成凹部１７および凹溝１８が、図４に示すように、形成されている。
【００２５】
なお、これらのテーパ形成凹部１７は、下方に向かって幅が広がるように形成されている。このテーパ形成凹部１７に沿って、それぞれ第２のアリ溝１９が形成されている。
【００２６】
そして、内嵌部材１および外嵌部材１３は、テーパ形成突起部１０にテーパ形成凹部１７を、また突条１２に凹溝１８が嵌まるように、図４に示すように、一体結合したとき、第１のアリ溝１１はテーパ形成凹部１７の縁部に、また第２のアリ溝１９は、テーパ形成突起部１０の縁部に、それぞれガイドされながら、嵌合保持される。
【００２７】
また、前記外嵌部材１５を構成する外嵌部材構成部１３ｂは、かご型の棚材（ここでは、一部のみを示す）２０の各コーナ部に取り付けられている。なお、棚材２０を直接取り付けるのではなく、棚材２０を連結するための連結具を介して棚材２０を取り付け可能としてもよい。
【００２８】
次に、この棚材固定具を用いて、商品陳列棚を組み付ける手順を説明する。
【００２９】
まず、外嵌部材１３のうち外嵌部材構成部１３ｂを四隅に取り付けた棚材２０を、用意する。次に、各支柱４の周囲を図３に示すように内嵌部材１で囲む。
【００３０】
このとき、各支柱４の所定高さ位置にある各環状溝５に対し内嵌部材１を構成する内嵌部材構成部１ａ、１ｂ内周の環状突起３を、図５および図６に示すように嵌めこむ。
【００３１】
この嵌め込みにより、互いに対向する分割部分６にある凹部７と分割部分８にある凸部９とが嵌合し、各内嵌部材構成部１ａ、１ｂの垂直方向（軸方向）の位置決めが行われるとともに、内嵌部材１が支柱４に対し、容易に分離することなく、安定に支持される。
【００３２】
次に、前記棚材２０を取り付けた外嵌部材１３の外嵌部材構成部１３ｂを、これのテーパ形成凹部１７が内嵌部材１のテーパ形成突起部１０に係合するように、また、凹溝１８が内嵌部材１の突条１２に嵌まり込むように、内嵌部材構成部１ａ、１ｂの半部に上方から被せる。
【００３３】
このとき、もう一方の外嵌部材構成部１３ａのテーパ形成凹部１７を内嵌部材１の他方のテーパ形成突起部１０に、また、凹溝１８が内嵌部材１の突条１２に嵌まり込むように、外嵌部材構成部１３ａを内嵌部材構成部１ａ、１ｂの残る半部に上方から被せる。
【００３４】
このとき、内嵌部材１側の第１のアリ溝１１にテーパ形成凹部１７の縁部がガイドされ、外嵌部材１３の第２のアリ溝１９にテーパ状部１０の縁部がガイドされることによって、外嵌部材１３の内嵌部材１に対する係合度合いが強められる。このため、支柱４上において、上下方向に位置ずれせずに、内嵌部材１が堅固に保持される。
【００３５】
本実施形態による棚材固定具は、前記のように、支柱４上のいずれの部位にかご型の棚材が取り付けられているか否かに拘わらず、支柱４上のいずれの部位にも、前記棚材固定具を用いて棚材を簡単かつ確実に支持させることができる。
【００３６】
すなわち、本実施形態の棚材固定具は、内嵌部材１外周の分割部分に、該分割部分を接合したとき上下方向にテーパ状をなし、このテーパ状部に沿って第１のアリ溝１１が形成されたテーパ形成突起部をそれぞれ設け、外嵌部材１３の内周面の上下方向に、第１のアリ溝１１に嵌合可能な縁部を有するテーパ形成凹部１７を形成したことにより、外嵌部材１３およびこれに取り付けられるかご型の棚材２０を、内嵌部材１を介して支柱４上の任意の高さ位置に、簡単、迅速に固定することができる
【産業上の利用可能性】
【００３７】
本考案にかかる棚材固定具は、棚材を支柱上の任意の位置に直接に着脱することができ、棚材の取り付け位置の変更を容易化できるという効果を有し、棚材を支柱上の所定の高さ位置に固定する商品陳列棚等の棚位置固定具等に有用である。
【図面の簡単な説明】
【００３８】
【図１】本考案の実施形態による棚材固定具の内嵌部材を示す分解斜視図である。
【図２】本考案の実施形態による棚材固定具の外嵌部材の分解斜視図である。
【図３】本考案における支柱、内嵌部材および外嵌部材の連結構造を示す説明図である。
【図４】本考案における支柱、内嵌部材および外嵌部材の連結構造を一部破断して示す説明図である。
【図５】図４におけるＡ‐Ａ線断面図である。
【図６】図４におけるＢ‐Ｂ線断面図である。
【図７】従来の商品陳列棚を示す斜視図である。
【図８】従来の棚材固定具を示す縦断面図である。
【符号の説明】
【００３９】
１…内嵌部材、１ａ，１ｂ…内嵌部材構成部、３…環状突起、４…支柱、５…環状溝、６，８…分割部分、１０…テーパ形成突起部、１０ａ，１０ｂ…テーパ状部、１１…第１のアリ溝、１２…突条、１３…外嵌部材、１４…スカート部、１５…天部、１６…貫通孔、１７…テーパ形成凹部、１８…凹溝、１９…第２のアリ溝、２０…棚材
【図１】
0003125860.tif 000003
【図２】
0003125860.tif 000004
【図３】
0003125860.tif 000005
【図４】
0003125860.tif 000006
【図５】
0003125860.tif 000007
【図６】
0003125860.tif 000008
【図７】
0003125860.tif 000009
【図８】
0003125860.tif 000010